(57)【要約】【課題】大型の成型機を用いることなく製造することが可能なロール状記録媒体用カバー及び該ロール状記録媒体用カバーを備えた記録装置を提供する。【解決手段】ロール紙Ｐをセット可能なプリンタ１１には、ロール紙Ｐの軸線方向に沿う回動軸を中心に回動することにより閉位置と開位置との間での変位可能なロール紙カバー１６が取り付けられている。ロール紙カバー１６は、閉位置と開位置との間を変位する際に裏面側がロール紙Ｐの周面の一部と対向しつつ回動するとともに、回動方向における一端側に開閉用把持部３４が設けられた板金構造体３０と、板金構造体３０に対して回動軸方向における両端から取り付けられ、板金構造体３０を回動可能に支持する側壁部材３１，３２を備え、板金構造体３０は、少なくとも開閉用把持部３４が設けられた回動方向における一端側に、回動軸方向に延びる芯金構造を有する。【選択図】図１
2010099879.tif 000002
【特許請求の範囲】
【請求項１】
記録装置にセットされたロール状記録媒体の軸線方向に沿う回動軸を中心に回動することにより前記ロール状記録媒体を覆蓋する閉位置と前記ロール状記録媒体の前記記録装置に対する着脱を可能とする開位置との間での変位可能に前記記録装置に取り付けられるロール状記録媒体用カバーであって、
前記閉位置と前記開位置との間を変位する際に裏面側が前記ロール状記録媒体の周面の一部と対向しつつ回動するとともに、回動方向における一端側に開閉用把持部が設けられた板金構造体と、
該板金構造体に対して前記回動軸方向における両端から取り付けられ、前記板金構造体を回動可能に支持する側壁部材とを備え、
前記板金構造体は、少なくとも前記開閉用把持部が設けられた前記回動方向における一端側に、前記回動軸方向に延びる芯金構造を有することを特徴とするロール状記録媒体用カバー。
【請求項２】
前記板金構造体には、長手方向となる前記回動軸方向に延びる板状補強部材が取り付けられていることを特徴とする請求項１に記載のロール状記録媒体用カバー。
【請求項３】
前記板金構造体は前記回動軸方向に延びる平面形状の前記開閉用把持部を有し、
前記板状補強部材は、前記開閉用把持部の裏面側に取り付けられていることを特徴とする請求項２に記載のロール状記録媒体用カバー。
【請求項４】
前記板金構造体の前記側壁部材が取り付けられる位置には、前記板状補強部材に対する位置決め孔が設けられていることを特徴とする請求項２又は請求項３に記載のロール状記録媒体用カバー。
【請求項５】
前記側壁部材には、前記板金構造体の前記回動軸方向における端部を挟持するためのリブが設けられていることを特徴とする請求項１〜請求項４のうちいずれか一項に記載のロール状記録媒体用カバー。
【請求項６】
前記板金構造体は、前記回動方向に連続的に折り曲げられることで形成された波形状を有することを特徴とする請求項１〜請求項５のうちいずれか一項に記載のロール状記録媒体用カバー。
【請求項７】
ロール状記録媒体をセット可能であって、請求項１〜請求項６のうちいずれか一項に記載のロール状記録媒体用カバーを備えることを特徴とする記録装置。
【発明の詳細な説明】
【技術分野】
【０００１】
本発明は、例えばＡ１判又はＢ１判程度のサイズに対応可能なロール状記録媒体がセットされる記録装置に取り付けられるロール状記録媒体用カバー及び該ロール状記録媒体用カバーを備えた記録装置に関する。
【背景技術】
【０００２】
従来、記録装置の一種であるプリンタには、Ａ１判又はＢ１判程度のサイズに対応可能なロール紙（ロール状記録媒体）をセット可能な大型のプリンタがあった（例えば、特許文献１）。
【０００３】
この特許文献１に記載のプリンタには、ロール紙がセットされる給紙部に、セットされたロール紙を覆蓋するためのロール紙カバー（ロール状記録媒体用カバー）が手動での開閉可能に取り付けられていた。このロール紙カバーは、開閉の際に裏面側がロール紙の周面の一部と対向しつつ回動する平面形状の前端部及び断面円弧状の曲面部と、前端部及び曲面部を回動軸方向の両端において回動可能に支持するカバー側壁とから構成されていた。そして従来、ロール紙カバーはカバー側壁、前端部及び曲面部がプラスチック等の合成樹脂材により一体成形されていた。
【特許文献１】特開２００１−１３００９７号公報
【発明の開示】
【発明が解決しようとする課題】
【０００４】
ところで、こうした大型の記録装置に取り付けられるロール紙カバーは一般に大きな部材であり、このように大きな部材を一体成形するためには、大型の成型機が必要であった。こうした大型の成型機は非常に高価で容易には入手し難いため、製造上の制約が多い上に、製造コストが嵩んでしまうという問題があった。
【０００５】
本発明は、このような課題に着目してなされたものである。その目的とするところは、大型の成型機を用いることなく製造することが可能なロール状記録媒体用カバー及び該ロール状記録媒体用カバーを備えた記録装置を提供することにある。
【課題を解決するための手段】
【０００６】
上記目的を達成するために、本発明のロール状記録媒体用カバーは、記録装置にセットされたロール状記録媒体の軸線方向に沿う回動軸を中心に回動することにより前記ロール状記録媒体を覆蓋する閉位置と前記ロール状記録媒体の前記記録装置に対する着脱を可能とする開位置との間での変位可能に前記記録装置に取り付けられるロール状記録媒体用カバーであって、前記閉位置と前記開位置との間を変位する際に裏面側が前記ロール状記録媒体の周面の一部と対向しつつ回動するとともに、回動方向における一端側に開閉用把持部が設けられた板金構造体と、該板金構造体に対して前記回動軸方向における両端から取り付けられ、前記板金構造体を回動可能に支持する側壁部材とを備え、前記板金構造体は、少なくとも前記開閉用把持部が設けられた前記回動方向における一端側に、前記回動軸方向に延びる芯金構造を有する。
【０００７】
この発明によれば、記録装置に取り付けられるロール状記録媒体用カバーは板金構造体と側壁部材とを備え、ロール状記録媒体の周面と対向する部分、すなわち長手方向に延びるロール状記録媒体の周面を覆蓋する部分が板金構造体によって構成されている。そのため、プラスチック等の合成樹脂材による一体成形部品を、この板金構造体に対して回動軸方向における両端から取り付けられる側壁部材として小型化することが可能となる。したがって、大型の成型機を用いることなくロール状記録媒体用カバーを製造することができる。また、板金構造体は、少なくとも開閉用把持部が設けられた回動方向における一端側に、回動軸方向に延びる芯金構造を有するので、変形を抑制する剛性を備えることが可能となる。したがって、回動軸方向における片側寄りの位置を片手で把持して開閉が行われた場合にも、ねじれの発生を抑制することができる。すなわち、板金の厚さを増すことなく剛性を高めることができるので、重量増加を抑制しつつ、低コストのロール状記録媒体用カバーを実現することができる。
【０００８】
本発明のロール状記録媒体用カバーにおいて、前記板金構造体には、長手方向となる前記回動軸方向に延びる板状補強部材が取り付けられている。
この発明によれば、板金構造体には、長手方向となる回動軸方向に延びる板状補強部材が取り付けられているため、ねじれの発生しやすい長手方向における剛性を強化することができる。
【０００９】
本発明のロール状記録媒体用カバーにおいて、前記板金構造体は前記回動軸方向に延びる平面形状の前記開閉用把持部を有し、前記板状補強部材は、前記開閉用把持部の裏面側に取り付けられている。
【００１０】
この発明によれば、板状補強部材は、回動軸方向に延びる開閉用把持部に取り付けられているため、開閉時に特に負荷のかかる開閉用把持部の剛性を強化することができる。また、板状補強部材は平面形状の開閉用把持部に取り付けられるので、容易に取り付け作業を行うことが可能となる。さらに、板状補強部材は開閉用把持部の裏面側に取り付けられるので、外観を損ねることがない。
【００１１】
本発明のロール状記録媒体用カバーにおいて、前記板金構造体の前記側壁部材が取り付けられる位置には、前記板状補強部材に対する位置決め孔が設けられている。
この発明によれば、板金構造体には板状補強部材に対する位置決め孔が設けられているので、位置ずれを抑制しつつ、板状補強部材を板金構造体に取り付けることができる。また、位置決め孔は側壁部材が取り付けられる位置に設けられているため、板金構造体に側壁部材を取り付けた後には、位置決め孔が外観に露出することが防止される。
【００１２】
本発明のロール状記録媒体用カバーにおいて、前記側壁部材には、前記板金構造体の前記回動軸方向における端部を挟持するためのリブが設けられている。
この発明によれば、側壁部材には、板金構造体の回動軸方向における端部を挟持するためのリブが設けられているため、板金構造体の位置ずれを抑制することができる。
【００１３】
本発明のロール状記録媒体用カバーにおいて、前記板金構造体は、前記回動方向に連続的に折り曲げられることで形成された波形状を有する。
この発明によれば、板金構造体は、回動方向に連続的に折り曲げられることで形成された波形状を有するので、板金の厚みを増すことなく、回動軸方向における剛性を強化することが可能となる。
【００１４】
上記目的を達成するために、本発明の記録装置は、ロール状記録媒体をセット可能であって、上記ロール状記録媒体用カバーを備える。
この発明によれば、上記ロール状記録媒体用カバーと同様の作用効果を得ることができる。
【発明を実施するための最良の形態】
【００１５】
（第１実施形態）
以下、本発明を記録装置の一種である大型のプリンタに具体化した第１実施形態を図１〜図６を用いて説明する。なお、以下の説明において、「前後方向」、「左右方向」、「上下方向」をいう場合は、各図中に矢印で示した方向を基準として示すものとする。
【００１６】
図１に示すプリンタ１１は、Ａ１判又はＢ１判程度のサイズに対応可能な印刷を行うことができる大型のプリンタである。プリンタ１１は印刷を実行する印刷部１２を有する本体部１３と、本体部１３上部の背面寄りの位置に設けられた給紙部１４と、本体部１３下部の前面側に設けられた排紙部１５とを備えている。なお、プリンタ１１は、本体部１３の下部に脚部（図示略）を取り付けて、本体部１３の下方に排紙スペースを確保することもできる。
【００１７】
給紙部１４において、左右両端に配置された支持部１４ａには、ロール状記録媒体用カバーとしてのロール紙カバー１６がロール状記録媒体としてのロール紙Ｐを覆蓋する閉位置とロール紙Ｐのプリンタ１１に対する着脱を可能とする開位置との間で変位可能に取り付けられている。また、ロール紙カバー１６の内側には、ロール紙Ｐをスピンドル１７に取り付けた状態でセット可能なホルダ１８が設けられている。なお、図１においてロール紙カバー１６は半開き状態となっている。
【００１８】
また、給紙部１４においてロール紙カバー１６の前側には、単票紙Ｓ（図２に点線で示す）をセットするための手差部１９が設けられている。そして、ロール紙Ｐに対して印刷を行う場合には、ロール紙カバー１６を手動で図１に矢印で示す開方向に回動させて開位置に変位させ、ロール紙Ｐをホルダ１８にセットするようになっている。一方、単票紙Ｓに対して印刷を行うために手差部１９に単票紙Ｓをセットする場合や印刷を実行する場合には、ロール紙カバー１６を手動で開方向とは逆の閉方向に回動させて閉位置に変位させるようになっている。
【００１９】
本体部１３において長手方向（図１において左右方向）の両端には、下寄りの位置にインクを収容したインクカートリッジ（図示略）を装着可能なカートリッジホルダ２０ａ，２０ｂが設けられているとともに、本体部１３の上面において右寄りの位置には、操作パネル２１が設けられている。
【００２０】
また、本体部１３の前面側には、開閉可能なフロントカバー２２が設けられている。そして、印刷中に紙詰まり等が生じた場合には、フロントカバー２２を開けて詰まった紙の除去等のメンテナンスを行うことができるようになっている。
【００２１】
図２に示すように、印刷部１２には、本体部１３の長手方向となる主走査方向（図２において紙面と直交する方向）に往復移動可能に構成されたキャリッジ２３と、キャリッジ２３に支持された記録ヘッド２４とが設けられている。また、単票紙Ｓ用の手差部１９の下方には、ロール紙Ｐ（又は単票紙Ｓ）を記録ヘッド２４側へ案内するための紙案内部２５が設けられている。そして、図示しない紙送り機構によってロール紙Ｐの先端側が記録ヘッド２４側に搬送されるのに伴って、スピンドル１７が回動軸Ａを中心に図２における反時計回り方向に回動して、巻着されたロール紙Ｐが順次繰り出されるようになっている。
【００２２】
また、ロール紙Ｐをホルダ１８にセットした状態で操作パネル２１を介して印刷指示がなされると、インクカートリッジに収容されたインクがインク供給路（図示略）を通じて記録ヘッド２４に供給される。そして、記録ヘッド２４が主走査方向に移動しながらロール紙Ｐに対してインクを噴射する印刷動作と、ロール紙Ｐを記録ヘッド２４側に搬送する給紙動作とを交互に行うことで、ロール紙Ｐに対して印刷が施されるようになっている。
【００２３】
次に、プリンタ１１のロール紙カバー１６の構成について説明する。
図１〜図３に示すように、ロール紙カバー１６は、給紙部１４にセットされたロール紙Ｐの周面の一部を覆蓋可能な板金構造体３０と、プラスチック等の合成樹脂材により一体成型され、板金構造体３０に対して長手方向となる回動軸方向（左右方向）における両端から取り付けられた側壁部材３１，３２とを備えている。側壁部材３１，３２は給紙部１４の左右両端に配置された支持部１４ａ（図１参照）に取り付けられて、板金構造体３０を回動可能に支持している。
【００２４】
図２に示すように、ロール紙Ｐの軸線方向に沿うロール紙カバー１６の回動軸Ｂは、回動軸Ａの後方側斜め下方に僅かに偏倚した位置にある。これにより、ロール紙カバー１６が図２における反時計回り方向に回動して閉位置から開位置に変位すると、開位置において板金構造体３０が後方寄りに配置される態様となり、ロール紙Ｐの着脱作業がしやすいようになっている。なお、図２はロール紙カバー１６が閉位置にある状態を示している。
【００２５】
板金構造体３０は鉄製の厚さ約０．６ｍｍの板金部材３３を備えている。なお、板金部材３３は鉄製に限らず、ステンレス等他の金属材料による板金から構成することもできるし、材料に応じて適切な剛性を得られる厚さとすることができる。そして、ロール紙カバー１６が閉位置と開位置との間を変位する際には、板金部材３３の裏面３３ａ側がロール紙Ｐの周面の一部と対向しつつ回動するようになっている。
【００２６】
また、板金部材３３には平面形状の開閉用把持部３４と曲面形状の本体部３５とが短手方向となる回動方向に連続形成されている。開閉用把持部３４は、その表面をロール紙カバー１６が閉じた状態において紙案内部２５とほぼ平行となる平面として形成されることで、単票紙Ｓを紙案内部２５までガイドする役割を担っている。そして本体部３５は、ロール紙Ｐの周面に沿った略半円筒形状となるように、ロール紙カバー１６が閉じた状態において回動軸Ａを中心とする円弧をなす断面形状を有している。
【００２７】
図３及び図４に示すように、板金部材３３の回動軸方向（長手方向）の両端部には各５つのネジ止め部３６が設けられている。具体的には、板金部材３３の開閉用把持部３４の両端にはネジ止め部３６ａ，３６ｂが設けられているとともに、板金部材３３の本体部３５の両端にはネジ止め部３６ｃ，３６ｄ，３６ｅがそれぞれ設けられている。そして、各ネジ止め部３６ｂ〜３６ｅにはネジ孔３７が各１つ形成されているとともに、ネジ止め部３６ａにはネジ孔３７と位置決め孔３８とが各１つ形成されている。
【００２８】
図４に示すように、板金構造体３０は回動方向（短手方向）における両端、すなわち開閉用把持部３４が設けられた回動方向における一端側及び本体部３５が設けられた他端側に、板金部材３３の端部に直径４ｍｍ程の芯金部材３９，４０を巻き込んだ芯金構造を有している。この芯金部材３９，４０は板金部材３３の端部を丸めた後に挿入するのではなく、板金部材３３の端部を芯金部材３９，４０に巻き付けながらプレス成型することで、板金部材３３の端部処理を行いつつ芯金部材３９，４０の巻き込みが行われるようになっている。
【００２９】
さらに、板金構造体３０において板金部材３３の長手方向となる回動軸方向に延びる平面形状の開閉用把持部３４には、裏面３３ａ側に金属板からなる板状補強部材４１が取り付けられている。
【００３０】
図５に示すように、板状補強部材４１の長手方向における両端部には位置決め孔４１ａが形成されている。また、板金構造体３０の側壁部材３１，３２が取り付けられる位置、すなわち板金部材３３の開閉用把持部３４の長手方向における両端部には、位置決め孔３４ａが形成されている。そして、板状補強部材４１を取り付ける際には、図５に点線で示すように両位置決め孔３４ａ，４１ａに位置決め用のピン（図示略）を挿通させて位置決めした状態で、板状補強部材４１の短手方向の両端に長手方向に延びるようにそれぞれ設けられた接続部４１ｂを板金部材３３の裏面３３ａに対して溶接するようになっている。
【００３１】
なお、ロール紙カバー１６は開閉操作する際に、開閉用把持部３４の下端側を把持して上側に持ち上げるようにしてロール紙カバー１６を回動させることを想定し、長手方向の任意の位置に手をかけることができるようになっている。こうした開閉操作が片手で行われる場合には、板金構造体３０の回動軸方向における片側寄りの位置に力を作用させて、板金構造体３０の回動軸方向の両端を支持する側壁部材３１，３２を給紙部１４の支持部１４ａに対して回動させることになる。
【００３２】
したがって、例えば開閉操作の際に板金構造体３０の右側寄りの位置を右手のみで把持して持ち上げた場合には、手をかけた位置より左側の部分に負荷が偏り、板金構造体３０がねじれるように変形する虞がある。こうしたねじれの発生を抑制するためには、板金部材３３の厚さを増して剛性を高めることも考えられるが、その分コストアップしてしまうし、重量が増すために開閉操作に要する労力も増してしまう。その点、本実施形態の板金構造体３０は、芯金構造と板状補強部材４１とによって軽量化を図りつつ剛性を強化することで、片手で開閉操作が行われた場合にも、ねじれの発生を抑制することができるようになっている。
【００３３】
図３に示すように、側壁部材３１，３２の内面側（側壁部材３１の右側面側、側壁部材３２の左側面側）には、板金構造体３０の回動軸方向における両端部を挟持するためのリブ４２がそれぞれ形成されている。リブ４２は、板金構造体３０の表面側に当接するリブ４２ａと、リブ４２ａとの間でネジ止め部３６を挟持するリブ４２ｂと、リブ４２ａとの間で開閉用把持部３４に取り付けられた板状補強部材４１を挟持するリブ４２ｃと、リブ４２ａとの間で本体部３５を挟持するリブ４２ｄとから構成されている。
【００３４】
また、側壁部材３１，３２には、リブ４２に囲まれるように５つの挿通孔４３が板金部材３３のネジ孔３７と対応する位置にそれぞれ形成されている。さらに、側壁部材３１，３２の内面側には、板金部材３３の位置決め孔３８と対応する位置に位置決め突起４４がそれぞれ形成されている。そして、板金構造体３０に側壁部材３１，３２を取り付ける際には、板金部材３３の位置決め孔３８に側壁部材３１，３２の位置決め突起４４が挿通されるように位置決めしつつ、側壁部材３１，３２のリブ４２で板金構造体３０の長手方向の端部を挟持させる。続いて、側壁部材３１，３２の外面側（側壁部材３１の左側面側、側壁部材３２の右側面側）からネジ（図示略）を挿通孔４３に挿通させて板金部材３３のネジ孔３７にネジ止めすることで、板金構造体３０と側壁部材３１，３２とが一体化されるようになっている。
【００３５】
なお、側壁部材３１，３２には金属からなる接地板（図示略）を取り付けるための凹部４５が設けられている。凹部４５に取り付けられた接地板は、給紙部１４の支持部１４ａに設けられた板金部材（図示略）と常に所定の付勢力で押し当てられることで、板金構造体３０側の電位が給紙部１４側の板金部材の電位と均一になるようにされている。
【００３６】
図６に示すように、側壁部材３１，３２には、スリット４６を貫通形成することで、中央に位置する接続部４７ａを除いてスリット４６に囲まれた略円弧状のブレーキ部４７が形成されている。ブレーキ部４７には、略円弧形状のレール部４８と、レール部４８の両端に位置する凹形状の係止部４９，５０とが形成されている。一方、給紙部１４の左右両端に配置された各支持部１４ａには、先端がスリット４６に挿通される態様となるピン５１が設けられている。
【００３７】
そして、図６（ａ）に示すようにロール紙カバー１６が閉位置にある場合には、ピン５１が係止部５０に係合されるようになっている。また、図６（ｂ）に示すようにロール紙カバー１６が開閉のために回動軸Ｂを中心に回動する際には、ピン５１がレール部４８に対して相対移動するようになっている。さらに、図６（ｃ）に示すようにロール紙カバー１６が開位置にある場合には、ピン５１が係止部４９に係合されるようになっている。
【００３８】
なお、ブレーキ部４７は、接続部４７ａと対応する中央付近においてはピン５１と干渉しないが、係止部４９，５０がピン５１と係合している場合には、ピン５１に押しつけられて僅かに撓み、その復元力によってピン５１を押圧するような形状となっている。したがって、ピン５１が係止部４９，５０に係合した状態にあっては、ロール紙カバー１６が自重で回動しないように開位置又は閉位置に安定して保持されるようになっている。
【００３９】
また、レール部４８は中央付近とその両端とで半径の異なる円弧が滑らかに接続された形状となっている。そして、ロール紙カバー１６が閉位置と開位置との間を変位する際には、中央付近においてはピン５１と干渉することなく速やかに回動し、停止位置である閉位置又は開位置付近では、レール部４８とピン５１との間にブレーキ部４７の押圧力に基づく摩擦力がブレーキとして働くようになっている。すなわち、ブレーキ部４７とピン５１とで構成されるブレーキ機構によって、停止時にはロール紙カバー１６の自重での回動を抑制し、回動時には停止位置に向けてロール紙カバー１６の回動速度を低下させることにより、開閉操作における安全確保が図られている。
【００４０】
以上、詳述した実施形態によれば以下の効果を得ることができる。
（１）ロール紙Ｐをセット可能なプリンタ１１に取り付けられるロール紙カバー１６は、板金構造体３０と側壁部材３１，３２とを備える。すなわち、ロール紙カバー１６においてロール紙Ｐの周面と対向する部分、すなわち長手方向に延びるロール紙Ｐの周面を覆蓋する部分が板金構造体３０によって構成されている。そのため、プラスチック等の合成樹脂材による一体成形部品を、板金構造体３０に対して回動軸方向における両端から取り付けられる側壁部材３１，３２として小型化することが可能となる。したがって、大型の成型機を用いることなくロール紙カバー１６を製造することができる。また、板金構造体３０は回動方向における両端部に芯金構造を有するので、変形を抑制する剛性を備えることができる。したがって、回動軸方向における片側寄りの位置を片手で把持して開閉が行われた場合にも、ねじれの発生を抑制することができる。すなわち、板金の厚さを増すことなく剛性を高めることができるので、重量増加を抑制しつつ、低コストのロール紙カバー１６を実現することができる。
【００４１】
（２）板金構造体３０には、長手方向となる回動軸方向に延びる板状補強部材４１が取り付けられているため、ねじれの発生しやすい長手方向における剛性を強化することができる。
【００４２】
（３）板状補強部材４１は、回動軸方向に延びる開閉用把持部３４に取り付けられているため、開閉時に特に負荷のかかる開閉用把持部３４の剛性を強化することができる。また、板状補強部材４１は平面形状の開閉用把持部３４に取り付けられるので、容易に取り付け作業を行うことが可能となる。さらに、板状補強部材４１は開閉用把持部３４の裏面３３ａ側に取り付けられるので、外観を損ねることがない。
【００４３】
（４）板金部材３３には板状補強部材４１に対する位置決め孔３４ａが設けられているので、位置ずれを抑制しつつ、板状補強部材４１を板金構造体３０に取り付けることができる。また、位置決め孔３４ａは側壁部材３１，３２が取り付けられる位置に設けられているため、板金構造体３０に側壁部材３１，３２を取り付けた後には、位置決め孔３４ａが外観に露出することが防止される。
【００４４】
（５）側壁部材３１，３２には、板金構造体３０の回動軸方向における端部を挟持するためのリブ４２が設けられているため、板金構造体３０の位置ずれを抑制することができる。
【００４５】
（６）板金構造体３０の芯金構造においては、板金部材３３の端部を芯金部材３９，４０に巻き付けながらプレス成型しているので、板金部材３３の端部処理と芯金部材３９，４０の巻き込み処理とを同時に行うことができる。
【００４６】
（７）ロール紙カバー１６は板金構造体３０と側壁部材３１，３２とから構成されているので、対応可能なロール紙のサイズ（長手方向の幅）が異なるプリンタに対して、側壁部材３１，３２を適用することができる。すなわち、板金構造体３０の長手方向の幅を変更すれば、対応サイズの異なる機種間においても部材（側壁部材３１，３２）の共通化を図ることが可能となる。
【００４７】
（８）ロール紙カバー１６は大きな面積を占める部分が板金構造体３０で構成されているので、金属調で高級感のある外観デザインを実現することができる。
（第２実施形態）
次に、本発明を同じく記録装置の一種である大型プリンタに具体化した第２実施形態を図７に基づいて説明する。なお、本実施形態は、第１実施形態におけるロール紙カバーを一部変更するものであるため、以下では特に第１実施形態との相違点について説明する。
【００４８】
図７に示すように、本実施形態のロール紙カバー１６の板金構造体３０を構成する板金部材３３は、平面形状の開閉用把持部３４と本体部３５Ａとが回動軸方向に連続形成されている。そして、本実施形態において本体部３５Ａは、回動方向に連続的に折り曲げられることで形成された波形状を有する。なお、板金部材３３の回動方向における両端側が芯金部材３９，４０を巻き込んだ芯金構造を有する点は、第１実施形態と同様である。
【００４９】
そして、開閉用把持部３４の回動軸方向における両端部にはネジ止め部３６ａ，３６ｂが、本体部３５Ａの回動軸方向における両端部には、後端側となる位置にネジ止め部３６ｅがそれぞれ設けられている。一方、側壁部材３１，３２（側壁部材３２は図示略）には、板金構造体３０の回動軸方向における端部を挟持するためのリブ４２Ａが設けられている。なお、リブ４２Ａは板金構造体３０の表面側に当接するリブ４２ａと、リブ４２ａとの間でネジ止め部３６ａ，３６ｂ，３６ｅを挟持するリブ４２ｂと、リブ４２ａとの間で開閉用把持部３４を挟持するリブ４２ｅと、本体部３５Ａを挟持するリブ４２ｆとから構成されている。
【００５０】
すなわち、本実施形態においては、本体部３５Ａの波形状の部分にネジ止め部が設けられていないが、波形状の本体部３５Ａを表側及び裏側から挟持するリブ４２ｆにより、板金構造体３０の側壁部材３１，３２に対する位置ずれを抑制している。また、本実施形態の板金構造体３０には板状補強部材が取り付けられていないが、本体部３５Ａの波形状によって長手方向（回動軸方向）の剛性を強化することで、ねじれの発生を抑制するようにしている。なお、本実施形態の板金構造体３０に板状補強部材を取り付けて、さらに剛性を強化することももちろん可能である。
【００５１】
以上、詳述した実施形態によれば以下の効果を得ることができる。
（９）板金構造体３０を構成する板金部材３３の本体部３５Ａは回動方向に連続的に折り曲げられることで形成された波形状を有するので、板金の厚みを増すことなく、回動軸方向における剛性を強化することが可能となる。
【００５２】
（変更例）
なお、上記実施形態は以下のように変更してもよい。
・ロール紙カバー１６の形状は上記実施形態に限らず、例えば断面コの字形状や断面Ｌ字形状等としてもよい。
【００５３】
・開閉用把持部は回動軸方向に延びる平面形状でなくてもよく、例えば左右に１つずつ配置した凹部や凸部からなる取手部として実現してもよい。
・板金構造体３０は、板状補強部材４１を備えなくてもよいし、複数の板状補強部材４１を備えるようにしてもよい。
【００５４】
・板金構造体３０は、回動方向におけるいずれか一端側のみに芯金構造を有するようにしてもよい。
・板金部材を回動方向に複数枚組み合わせて板金構造体を構成してもよい。
【００５５】
・板金構造体３０を複数の板金部材からなる複層構造として、板状補強部材４１を各板金部材の間に設けるようにしてもよい。この場合にも、板状補強部材４１を外観に露出させることなく補強を行うことができる。
【００５６】
・板状補強部材４１は、板金部材３３の表面側に取り付けてもよい。
・板状補強部材４１は、板金部材３３の本体部３５に取り付けてもよい。
・側壁部材３１，３２は、板金構造体３０の回動軸方向における端部を挟持するためのリブ４２を備えなくてもよい。
【００５７】
・板状補強部材４１の位置決め孔４１ａ及び板金部材３３の位置決め孔３４ａを備えず、例えば型枠等によって位置決めした状態で板状補強部材４１を板金部材３３に取り付けるようにしてもよい。
【００５８】
・プリンタ１１にセットされるのはロール紙に限らず、ロール状に巻着されたフィルム等であってもよいし、対応可能な用紙サイズもＡ１判又はＢ１判に限られるものではない。
【００５９】
・上記実施形態では、記録装置の記録部をインクジェット式プリンタとして具体化したが、ペンを使ってベクトルデータを記録するプロッタや電子写真式のプリンタとして具体化してもよいし、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【図面の簡単な説明】
【００６０】
【図１】第１実施形態におけるプリンタを示す斜視図。
【図２】第１実施形態における給紙部及び印刷部を示す概略断面図。
【図３】第１実施形態におけるロール紙カバーを示す一部分解斜視図。
【図４】第１実施形態における板金構造体を示す側面図。
【図５】第１実施形態における位置決め孔を説明するための斜視図。
【図６】第１実施形態におけるロール紙カバーの概略側面図で、（ａ）は閉位置にある状態、（ｂ）は回動時の状態、（ｃ）は開位置にある状態を示す。
【図７】第２実施形態におけるロール紙カバーを示す断面図。
【符号の説明】
【００６１】
１１…記録装置としてのプリンタ、１６…ロール状記録媒体用カバーとしてのロール紙カバー、３０…板金構造体、３１，３２…側壁部材、３３ａ…裏面、３４…開閉用把持部、３４ａ…位置決め孔、３９，４０…芯金構造を構成する芯金部材、４１…板状補強部材、４２，４２Ａ，４２ａ，４２ｂ，４２ｃ，４２ｄ，４２ｅ，４２ｆ…リブ、Ａ…ロール紙の回動軸、Ｂ…ロール紙カバーの回動軸、Ｐ…ロール状記録媒体としてのロール紙。
【図１】
2010099879.tif 000003
【図２】
2010099879.tif 000004
【図３】
2010099879.tif 000005
【図４】
2010099879.tif 000006
【図５】
2010099879.tif 000007
【図６】
2010099879.tif 000008
【図７】
2010099879.tif 000009